【事件の表示】
　平成１０年特許願第１１８４９５号「パチンコ機の表示装置」拒絶査定に対する審判事件〔平成１０年１２月１５日出願公開、特開平１０−３２８３７４、請求項の数（３）〕について、次のとおり審決する。
【結　論】
　原査定を取り消す。
　本願の発明は、特許すべきものとする。
【理　由】
　この出願は、平成１年９月８日に出願された実願平１−１０５９１３号の一部が実願平８−１３１７８号として分割され、当該分割出願が平成１０年４月２８日に特願平１０−１１８４９５号に出願変更されたものであって、その請求項１ないし３に係る各発明は、平成１０年５月２２日付け及び平成１３年８月１日付けの各手続補正によって補正された明細書の特許請求の範囲の請求項１ないし３に記載されたとおりの、
「１・パチンコ機の遊技盤に取り外し可能に装着されるケース部材内には表示パネル部品が組み込まれると共に、この表示パネル部品にはコネクタ接続が可能なプリント基板が備えられる一方、このプリント基板に設けられたコネクタはケース部材の背面に開設された逃がし孔を介して相手側コネクタと接続可能であり、かつこのコネクタは前記プリント基板に対しその端部寄りの位置において前記プリント基板に対し垂直な向きで取り付けられ、
　しかも、前記プリント基板は前記ケース部材によって厚み方向で挟まれた状態で保持されていることを特徴とするパチンコ機の表示装置。
２・前記ケース部材は、後方へ開口するハウジングとこの開口を閉止しつつ前記プリント基板を厚み方向で挟み付けるカバー部材とからなっていることを特徴とする請求項１記載のパチンコ機の表示装置。
３・前記ケース部材は上方へ開口して前記表示パネル部品を差込み可能に形成されるとともに、内部には前記プリント基板の側縁部を厚み方向から挟んで差込みを案内するコ字状断面を有するガイド片が形成されていることを特徴とする請求項１記載のパチンコ機の表示装置」
にあるものと認める。
　これに対して、当審の拒絶理由において引用された、この出願の出願前に国内において頒布された刊行物である実願昭５８−１９９９５３号（実開昭６０−１０９６８２号）のマイクロフィルム（刊行物１）には、
「パチンコ機の遊技盤２に取り外し可能に装着されるケース部材（前方保持部材４２，上部保護板４３及び下部保護板４４がこれに相当する）内には表示パネル部品（蛍光表示パネル４１がこれに相当する）が組み込まれると共に、この表示パネル部品にはコネクタ接続が可能なプリント基板４６が備えられる一方、このプリント基板４６に設けられたコネクタはケース部材の背面に開設された逃がし孔を介して相手側コネクタと接続可能であり、かつこのコネクタは前記プリント基板に対しハンダ付けされたリード線４７を介して取り付けられ、
　しかも、表示パネル部品は前記ケース部材によって厚み方向で挟まれた状態で保持されているパチンコ機の表示装置」を構成とする発明が、
同じく、実願昭６１−１０１８４５号（実開昭６３−８０７６号）のマイクロフィルム（刊行物２）には、
「表示パネル部品（可変表示装置２０がこれに相当する）にはコネクタ（接続端子２０ａがこれに相当する）接続が可能な基板（可変表示装置２０の基板がこれに相当する）が備えられる一方、この基板に設けられたコネクタはケース部材（被覆カバー６７がこれに相当する）の背面に開設された逃がし孔（配線接続用の開口６８がこれに相当する）を介して相手側コネクタと接続可能であり、かつこのコネクタは前記基板に対しその端部寄りの位置において前記基板に対し垂直な向きで取り付けられるパチンコ機の表示装置」を構成とする発明が、
それぞれ記載されているものと認められる。
　この出願の請求項１に係る発明（前者）と刊行物１に記載された発明（後者）とを対比すると、
両者は、
「パチンコ機の遊技盤に取り外し可能に装着されるケース部材内には表示パネル部品が組み込まれると共に、この表示パネル部品にはコネクタ接続が可能なプリント基板が備えられる一方、このプリント基板に設けられたコネクタはケース部材の背面に開設された逃がし孔を介して相手側コネクタと接続可能であり、かつこのコネクタは前記プリント基板に対し取り付けられ、
　しかも、基板又は部品が前記ケース部材によって厚み方向で挟まれた状態で保持されているパチンコ機の表示装置」である
点において一致し、
（１）コネクタが、
前者は、プリント基板に対しその端部寄りの位置においてこのプリント基板に対し垂直な向きで取り付けられている、
のに対し、
後者は、プリント基板に対しハンダ付けされたリード線４７を介して取り付けられている、
（２）ケース部材によって厚み方向で挟まれた状態で保持されているのが、
前者は、プリント基板である、
のに対し、
後者は、表示パネル部品である、
点において相違する。
　そこで、相違点について検討すると、
相違点（１）の前者の構成である、「コネクタが基板に対しその端部寄りの位置においてこの基板に対し垂直な向きで取り付けられ」るという構成は、刊行物２に記載された発明に備わっているものの、
相違点（２）の前者の構成である、「プリント基板がケース部材によって厚み方向で挟まれた状態で保持されている」という構成は、刊行物２に記載された発明にも備わっていない。
　しかも、前者は、相違点（１）及び（２）の前者の構成が相俟って、この出願の明細書の段落【００１１】に記載された、「コネクタの脱着操作が容易となる」という効果を奏するものと認められるから、刊行物１及び２に記載された各発明を組み合わせてみても、この出願の請求項１ないし３に係る各発明を構成することはできないというべきである。
　そして、この出願については、原査定の拒絶理由を検討してもその理由によって拒絶すべきものとすることはできない。
　すなわち、原査定の拒絶理由において引用された、この出願の出願前に国内に頒布された刊行物である特開昭６３−２３４９９０号公報（引用例１）には、
「パチンコ機の遊技盤（裏板１がこれに相当する）に取り外し可能に装着されるケース部材（カートリッジ７がこれに相当する）内にはプリント基板（基板１１がこれに相当する）が備えられる一方、このプリント基板は前記ケース部材によって厚み方向で挟まれた状態で保持されているパチンコ機」を構成とする発明が、
同じく、特開平１−２０１２８６号公報（平成１年８月１４日公開、引用例２）には、
「表示パネル部品（表示装置１がこれに相当する）にはコネクタ（外部接続端子１７）接続が可能なプリント基板（第２回路基板１０がこれに相当する）が備えられる一方、このプリント基板に設けられたコネクタは相手側コネクタと接続可能であり、かつこのコネクタは前記プリント基板に対しその端部寄りの位置において前記プリント基板に対し垂直な向きで取り付けられるパチンコ機の表示装置」を構成とする発明が、
それぞれ記載されているものと認められるから、相違点（２）の前者の構成である、「プリント基板がケース部材によって厚み方向で挟まれた状態で保持されている」という構成は、引用例１に記載された発明に備わっており、そうすると、刊行物２に記載された発明に相違点（１）の前者の構成があり、引用例１に記載された発明に相違点（２）の前者の構成があるから、これらと刊行物１に記載された発明を組み合わせればこの出願の請求項１に係る発明を構成し得ることになるが、
刊行物１に記載された発明において、「ケース部材によって厚み方向で挟まれた状態で保持する」対象を、「表示パネル部品」から「プリント基板」に変えるには、対象物が変わる以上、当然何らかの工夫が必要であるというべきであり、その上、引用例１に記載された発明は、そもそも、パチンコ機に関するものではあるが表示装置に関するものではないから、プリント基板が、刊行物１に記載された発明のように、表示パネル部品を備えているようなものではなく、したがって、表示装置に関するものではない引用例１に記載された発明に、「プリント基板をケース部材によって厚み方向で挟まれた状態で保持」する構成があったとしても、これを表示装置に関するものである刊行物１に記載された発明に適用して、「表示パネル部品」を「ケース部材によって厚み方向で挟まれた状態で保持」している刊行物１に記載された発明の「保持」の対象を、「表示パネル部品」から「プリント基板」に変えることは、何らかの工夫なしにはできないというべきである。
　又、他にこの出願を拒絶すべき理由を発見しない。
　よって、結論のとおり審決する